(57)【要約】【課題】本発明が解決しようとする課題は、電圧や電流が相間で不均衡となるのを抑制することができる可搬式保冷庫および可搬式保冷庫システムを提供することである。【解決手段】実施形態の可搬式保冷庫は、受付部と、整流部と、蓄電池と、充電部と、冷却部と、制御部とを持つ。受付部は、三相交流を受け付ける。整流部は、前記受付部が受け付けた三相交流を直流に整流する。充電部は、前記整流部により整流された直流を用いて前記蓄電池を充電する。冷却部は、自装置の筐体の内部を冷却する冷却部であって、前記三相交流により駆動され冷媒を循環させる圧縮機および前記冷媒により冷却される蓄冷材を有する。制御部は、前記三相交流の供給開始に応じて前記圧縮機および前記充電部を駆動する。【選択図】図４
2016080195.tif 000002
【特許請求の範囲】
【請求項１】
三相交流を受け付ける受付部と、
前記受付部が受け付けた三相交流を直流に整流する整流部と、
蓄電池と、
前記整流部により整流された直流を用いて前記蓄電池を充電する充電部と、
自装置の筐体の内部を冷却する冷却部であって、前記三相交流により駆動され冷媒を循環させる圧縮機および前記冷媒により冷却される蓄冷材を有する冷却部と、
前記三相交流の供給開始に応じて前記圧縮機および前記充電部を駆動する制御部と、
を備える可搬式保冷庫。
【請求項２】
前記蓄電池と充電部とを接続する接続回路、または前記充電部の異常を検出する異常検出部を、更に備え、
前記制御部は、前記異常検出部により検出された検出結果に基づいて、前記接続回路または前記充電部の異常を検出する、
請求項１記載の可搬式保冷庫。
【請求項３】
前記冷却部は、前記整流部により整流された直流または前記蓄電池から供給される直流により駆動され前記筐体の内部の気体を循環させる庫内ファンを、更に有し、
前記可搬式保冷庫は、前記蓄電池から前記庫内ファンへ供給される電力を遮断する遮断部を更に備え、
前記制御部は、前記蓄電池から蓄電池の状態を取得し、取得した状態が所定の条件を満たさない場合、前記蓄電池から前記庫内ファンへ供給される電力を遮断するように前記遮断部を制御する、
請求項１または請求項２記載の可搬式保冷庫。
【請求項４】
前記制御部は、前記蓄冷材の温度が所望温度まで低下した場合、前記三相交流の前記圧縮機への供給を停止する、
請求項１から３のうちいずれか１項記載の可搬式保冷庫。
【請求項５】
前記制御部は、前記蓄電池の充電量が所定値を超えた場合、前記蓄電池の充電を停止するように前記充電部を制御する、
請求項１から４のうちいずれか１項記載の可搬式保冷庫。
【請求項６】
前記三相交流のうちいずれか１つ以上の相が欠相している場合に、欠相を検出する欠相検出部と、
前記蓄電池への充電、または前記圧縮機への三相交流の供給を停止させる停止部と、を更に備え、
前記制御部は、前記欠相検出部が欠相を検出した場合、前記圧縮機の運転を停止すると共に、前記停止部に蓄電池への充電、または前記圧縮機への三相交流の供給を停止させる、
請求項１から５のうちいずれか１項記載の可搬式保冷庫。
【請求項７】
前記三相交流が逆相で自装置に供給されている場合に、逆相を検出する逆相検出部と、
前記三相交流が逆相で自装置に供給されている場合に、逆相で供給されている前記三相交流を停止、または前記逆相で供給されている前記三相交流を順相に相入れ替えするスイッチング部と、を更に備え、
前記制御部は、前記逆相検出部が逆相を検出した場合、前記スイッチング部に逆相で供給されている前記三相交流を停止、または前記逆相で供給されている前記三相交流を順相に相入れ替えするよう制御する、
請求項１から６のうちいずれか１項記載の可搬式保冷庫。
【請求項８】
前記制御部からの指示に基づいて、異常を示す出力を行う出力部と、を更に備え、
前記制御部は、制御結果、または取得した検出結果に応じた出力するように前記出力部を制御する、
請求項１から７のうちいずれか１項記載の可搬式保冷庫。
【請求項９】
端末装置と通信可能な通信部を更に備え、
前記制御部は、自装置の状態を示す情報を、前記通信部を介して前記端末装置へ送信する、
請求項１から８のうちいずれか１項記載の可搬式保冷庫。
【請求項１０】
請求項９に記載の可搬式保冷庫と、
前記可搬式保冷庫により送信された情報を取得する端末装置と、
を備える可搬式保冷庫システム。
【発明の詳細な説明】
【技術分野】
【０００１】
本発明の実施形態は、可搬式保冷庫および可搬式保冷庫システムに関する。
【背景技術】
【０００２】
従来、自装置に供給される三相交流のうち、二相に接続されてバッテリを充電するバッテリ充電器を備えた保冷庫が知られている。
【先行技術文献】
【特許文献】
【０００３】
【特許文献１】特開２０００−２２０９２３号公報
【発明の概要】
【発明が解決しようとする課題】
【０００４】
しかしながら、この場合、三相交流の供給側または保冷庫側で、電圧や電流が相間で不均衡となるおそれがある。
本発明が解決しようとする課題は、電圧や電流が相間で不均衡となるのを抑制することができる可搬式保冷庫および可搬式保冷庫システムを提供することである。
【課題を解決するための手段】
【０００５】
実施形態の可搬式保冷庫は、受付部と、整流部と、蓄電池と、充電部と、冷却部と、制御部とを持つ。受付部は、三相交流を受け付ける。整流部は、前記受付部が受け付けた三相交流を直流に整流する。充電部は、前記整流部により整流された直流を用いて前記蓄電池を充電する。冷却部は、自装置の筐体の内部を冷却する冷却部であって、前記三相交流により駆動され冷媒を循環させる圧縮機および前記冷媒により冷却される蓄冷材を有する。制御部は、前記三相交流の供給開始に応じて前記圧縮機および前記充電部を駆動する。
【図面の簡単な説明】
【０００６】
【図１】可搬式保冷庫１の外観を示す図。
【図２】図１のＡ−Ａ線に相当する断面図。
【図３】操作部１２の一例を示す図。
【図４】可搬式保冷庫１の機能構成を示す図。
【図５】三相交流のうち二相または三相が整流回路７４に接続されている場合における電圧変化を例示した図。
【図６】制御部８０が実行する処理の流れを示すフローチャート。
【図７】可搬式保冷庫システム２００の構成図。
【発明を実施するための形態】
【０００７】
以下、実施形態の可搬式保冷庫および可搬式保冷庫システムを、図面を参照して説明する。
【０００８】
（第１の実施形態）
図１は、可搬式保冷庫１の外観を示す図である。可搬式保冷庫１は、例えば、筐体２の内部に生鮮食品等の保冷が必要な物品を収納して、物品の鮮度を保った状態で輸送するために使用される。可搬式保冷庫１は、物品を収納した状態でトラック等の配送車の荷台に積載され輸送される。可搬式保冷庫１は、筐体２と、扉４と、ハンドル６と、キャスタ８と、コネクタ１０と、操作部１２とを備える。筐体２には、物品等が収容される。扉４は、筐体２の開口部を開閉する。ハンドル６は、扉４の開閉操作に用いられる。キャスタ８は、筐体２を移動可能に支持する。利用者は、扉４を開放した状態で筐体２の開口部を介して筐体２内に物品等を収容したり、筐体２内に収容された物品等を取り出したりすることができる。可搬式保冷庫１は、扉４を閉めることにより内部の気密を保った状態に維持することができる。
【０００９】
コネクタ１０には、例えば、電力供給元となる営業所や配送センターの外部電源Ｇから延出する電力線の先端に取り付けられたプラグが接続される。外部電源Ｇからコネクタ１０に供給される電力は、例えばＲ相、Ｓ相、Ｔ相と表現される三相交流である。供給された三相交流は、コネクタ１０から整流回路７４に供給される。操作部１２の説明は、図３を用いて後述する。
【００１０】
図２は、図１のＡ−Ａ線に相当する断面図である。可搬式保冷庫１の内部には、蓄冷室２０と、保冷室３０が設けられており、上部には機械室４０が設けられている。蓄冷室２０には、冷却器（不図示）と、蓄冷材２４とが設けられている。冷却器は、蓄冷材２４に覆われるように設けられ、機械室４０の熱交換機関である冷凍サイクル部品に接続されている。後述する圧縮機４４が駆動されると冷却器が冷却され、蓄冷材２４が凍結状態となる。
【００１１】
保冷室３０は、物品等を収納し、収納した物品等を保冷する。保冷室３０には、ダクト３２が設けられることによって、循環流路３４が形成されている。また、循環流路３４には、庫内ファン３６が設けられる。庫内ファン３６は、循環流路３４において蓄冷材２４側からの冷気が保冷室３０内を循環するように（例えば図中、矢印方向に）送風する。庫内ファン３６は、複数個設けられ駆動台数が調整されることによって、保冷室３０内を循環する冷気の風量が調整されてもよい。
【００１２】
機械室４０には、制御ユニット６０と、蓄電池９０と、冷凍サイクル部品と、庫外ファンモータ（不図示）とが設置されている。冷凍サイクル部品は、例えば圧縮機４４や、凝縮器４６、高圧スイッチ（不図示）などを備える。圧縮機４４は、三相交流により駆動され冷媒を圧縮し、冷媒を循環させる。凝縮器４６は、圧縮機４４により圧縮された冷媒を凝縮化して冷却する。庫外ファンモータは、外気を機械室４０内に向けて送風し、機械室４０の空気を循環する。なお、制御ユニット６０と、蓄電池９０とについては、図４を用いて後述する。また、以下、蓄冷材２４と圧縮機４４と庫内ファン３６とを自装置の筐体２の内部を冷却する冷却部４８と称する。
【００１３】
操作部１２は、モード切替えボタン、設定温度変更ボタン、表示部１４などを備える。操作部１２は、可搬式保冷庫１の各制御モードや、保冷室３０内の温度を設定操作するための操作部であり、利用者の操作に応じた信号を制御部８０へ出力する。図３は、操作部１２の一例を示す図である。操作部１２は、例えば冷凍運転を行う冷凍モードの設定や、冷蔵運転を行う冷蔵モードの設定、庫内温度の設定、後述する庫内ファン３６の起動または停止の設定を受け付ける。操作部１２の表示部１４は、例えば設定された温度または庫内の温度を表示する温度表示部１６を備える。温度表示部１６は、例えば７セグメントＬＥＤのデジタル表示部である。また、操作部１２の表示部１４は、可搬式保冷庫１の異常時に点灯する異常点灯部１８や、設定されているモードを示すモード点灯部１９などを備える。各点灯部は、制御ユニット６０からの指示信号に基づいて点灯する。また、表示部１４は、保冷室３０内の保冷開始が可能な状態や、電池残量など自装置の状態を示す表示を行う。
【００１４】
図４は、可搬式保冷庫１の機能構成を示す図である。外部電源Ｇに接続されたプラグがコネクタ１０に接続されると、可搬式保冷庫１の圧縮機４４に三相交流が供給される。圧縮機４４は、供給された三相交流の電力を用いて駆動されることにより、蓄冷材２４の温度を低下させる。そして、制御ユニット６０は、蓄冷材２４が所定温度以下になったときに圧縮機４４の駆動を停止する。
【００１５】
また、制御ユニット６０は、供給された三相交流の電力を用いて蓄電池９０を充電するようにチャージユニット７６を制御する。制御ユニット６０は、蓄電池９０の蓄電量が所定値を超えると、蓄電池９０の充電を停止する。また、制御ユニット６０は、庫内ファン３６の駆動または停止を制御する。また、制御ユニット６０は、第１保護回路７２を介して入力される三相交流を監視する。
【００１６】
外部電源Ｇに接続されたプラグがコネクタ１０に接続されていない状態（取り外された状態）では、蓄電池９０から庫内ファン３６に電力が供給される。この状態で制御ユニット６０が庫内ファン３６を駆動すると、蓄冷材２４の冷気が保冷室３０内を循環して、保冷室３０内は保冷される。なお、庫内ファン３６の駆動は、三相交流が供給されている状態において行われてもよい。
【００１７】
制御ユニット６０は、電源部７０と、制御部８０とを備える。電源部７０は、第１保護回路７２と、整流回路７４と、チャージユニット７６と、第２保護回路７８とを備える。
第１保護回路７２は、コネクタ１０を介して外部より供給された三相交流の電圧や電流などを検出し、検出結果を制御部８０へ出力する。また、第１保護回路７２は、過負荷や、過電圧、過電流などの異常時に、制御部８０の制御によって三相交流を遮断するためのスイッチ等を備えてよい。三相交流は、第１保護回路７２を介して整流回路７４に入力される。
【００１８】
整流回路７４は、第１保護回路７２を介して入力された三相交流を整流して直流に変換する。整流回路７４は、整流した直流をチャージユニット７６へ出力する。また、整流回路７４は、自回路の状態を検出し、検出結果を制御部８０へ出力する。なお、整流回路７４としては、例えば三相全波整流回路や、三相半波整流回路などが用いられる。チャージユニット７６は、例えばスイッチング回路を備え、整流回路７４により整流された直流を所望の電流や電圧などに変換して、蓄電池９０へ出力することにより、蓄電池９０を充電する。チャージユニット７６は、制御部８０へ電力を供給してもよい。
【００１９】
第２保護回路７８は、チャージユニット７６から入力された直流の電圧や電流などを検出し、検出結果を制御部８０へ出力する。また、第２保護回路７８は、過負荷や、過電圧、過電流などの異常時に、制御部８０の制御によって直流を遮断するためのスイッチ等を備えてよい。
【００２０】
制御部８０は、処理部８２と、欠相判定部８４と、逆相判定部８６とを備える。処理部８２は、可搬式保冷庫１の各部により出力された信号を取得し、取得した信号に基づいて、各部を制御する。欠相判定部８４は、三相交流の欠相を検出し、検出結果に応じた制御信号を出力する。逆相判定部８６は、三相交流の逆相を検出し、検出結果に応じた制御信号を出力する。制御部８０の各部が実行する処理の詳細については後述する。制御部８０の各機能部は、例えば、可搬式保冷庫１が備えるＣＰＵ（Central  Processing  Unit）等のプロセッサがプログラムメモリに格納されたプログラムを実行することで機能するソフトウェア機能部である。また、制御部８０の各機能部のうち一部または全部は、ＬＳＩ（Large  Scale  Integration）やＡＳＩＣ（Application  Specific  Integrated  Circuit）等のハードウェア機能部であってもよい。
【００２１】
また、可搬式保冷庫１は、交流調整回路８８と、供給遮断回路８９と、蓄電池９０と、各種機器１００とを備える。交流調整回路８８は、三相交流における過負荷や、過電圧、過電流などの異常時に、三相交流の受付を遮断したり、相入れ替えを行ったりする。供給遮断回路８９は、蓄電池９０に蓄電された蓄電量が所定値以下となった場合、制御部８０の制御によって、蓄電池９０から庫内ファン３６へ供給される電力の供給を遮断する。なお、第１保護回路７２、第２保護回路７８、交流調整回路８８、および供給遮断回路８９の動作は、制御部８０の制御によるのではなく、各回路が自動的に行うように構成されてもよい。また、蓄電池９０内には図示しないシャットダウン回路が設けられており、蓄電池９０に蓄電されている蓄電量が所定値以下となった場合、制御部８０の制御信号によって、蓄電池９０から庫内ファン３６及び制御部８０への電力の供給を遮断することができる。これにより、蓄電池９０内の蓄電量が完全になくなる前に外部への放電を抑えることができ、蓄電池９０の保護を可能としている。
【００２２】
蓄電池９０は、チャージユニット７６によって充電される。蓄電池９０は、蓄電した電力を自装置の各部へ供給する。蓄電池９０は、例えば、正極側にマンガンを、負極側にチタン酸リチウムを用いたリチウムイオン電池である。この態様のリチウムイオン電池を使用することにより、充放電速度を高速にすることができ、可搬式保冷庫１を使用可能にするまでのスタンバイ期間を短縮することができる。また、蓄電池９０は、他の態様のリチウムイオン電池であってもよいし、ナトリウムイオン電池等のその他の非水電解質二次電池であってもよい。
【００２３】
ところで、高速で充放電可能な二次電池を蓄電池９０として使用した場合、外部電源Ｇから蓄電池９０に取り込む単位時間あたりの電力量も大きいものとなる。仮に、三相交流のうち二相を整流して蓄電池９０を充電するようにした場合、充電に使用される二相の電圧が低下し、所定電圧（例えば商用供給電源のプラスマイナス１０％）以下に電圧降下を引き起こす場合や、使用されない一相の電圧に対して、相間電圧の不均衡が生じる場合がある。図５の上図は、三相交流のうち二相が整流回路７４に接続されていると仮定した場合における図４中の「ＥＸ」部分の電圧変化を例示した図である。図５の縦軸は電圧を示し、横軸は時間を示している。図５の上図に示すように、三相交流のうち二相を整流回路７４に接続した場合、相間に不均衡が生じる場合がある。相間の不均衡は、可搬式保冷庫１の圧縮機４４に誤作動や不具合を生じさせたり、外部電源Ｇを構成するインバータ等に誤作動や不具合を生じさせたりする可能性がある。また、場合によっては圧縮機４４や外部電源Ｇに接続されるその他の機器の不具合発生や故障の原因となる。
【００２４】
これに対して、本実施形態の可搬式保冷庫１は、三相交流の三相全てを整流回路７４に接続しているため、上記のような相間の不均衡が生じるのを抑制することができる。図５の下図は、本実施形態の可搬式保冷庫１における図４中の「ＥＸ」部分の電圧変化を例示した図である。この結果、可搬式保冷庫１の圧縮機４４や、外部電源Ｇを構成するインバータ等に誤作動や不具合を生じさせたりする可能性を低減することができる。
【００２５】
図４の説明に戻る。各種機器１００は、スピーカ１０２と、各種センサ１０４と、通信部１０６とを有する。スピーカ１０２は、制御部８０により出力された信号に基づいて、例えば可搬式保冷庫１に異常がある場合に、異常を知らせる警報を出力する。
【００２６】
各種センサ１０４は、例えば蓄冷室２０に設けられ、蓄冷材２４の温度を検出する蓄冷材温度センサや、保冷室３０に設けられ、保冷室３０内の温度を検出する庫内温度センサ、機械室４０に設けられ、外気の温度を検出する外気温度センサ、冷凍サイクル部品の異常を検出する冷凍サイクル部品センサ、可搬式保冷庫１が備える各回路の異常を検出する回路異常検出センサ、各電気機器および冷凍サイクル部品の異常を検出する検出センサなどを含む。通信部１０６は、制御部８０の制御に応じて、端末装置と無線通信を行う。
【００２７】
以下、制御部８０の各機能により実行される処理について説明する。図６は、制御部８０が実行する処理の流れを示すフローチャートである。まず、制御部８０の処理部８２が、可搬式保冷庫１に三相交流が投入されたか否かを判定する（ステップＳ１００）。処理部８２は、電源部７０から三相交流が入力されているか否かを判定することにより、三相交流の投入を判定する。三相交流が投入されていないと判定した場合の処理（ステップＳ１５０以下の処理）については後述する。三相交流が投入されたと判定した場合、処理部８２は、初期設定モードを取得する（ステップＳ１０２）。初期設定モードとは、例えば利用者により選択された制御モードであり、設定温度、圧縮機４４の駆動中に庫内ファン３６を駆動するか否か、などを指定するモード情報である。
【００２８】
次に、欠相判定部８４が、三相交流に欠相があるか否かを判定する（ステップＳ１０４）。三相交流に欠相がない場合、ステップＳ１０８へ進む。欠相がある場合、欠相判定部８４は、例えば、三相交流を遮断させる信号を交流調整回路８８に出力することで圧縮機４４の駆動を不許可とし、欠相していることを示す表示を操作部１２の異常点灯部１８へ表示させる（ステップＳ１０６）。これにより、欠相した交流を用いて圧縮機４４が駆動されることを防止することができるため、圧縮機４４の故障や、誤動作を防止することができる。
【００２９】
次に、逆相判定部８６が、電源部７０を介して、受け付けた三相交流が逆相状態であるか否かを判定する（ステップＳ１０８）。逆相状態でない場合、ステップＳ１１２へ進む。逆相状態である場合、逆相判定部８６は、交流調整回路８８へ三相交流の相入れ替えを行うように指示する信号を出力する（ステップＳ１１０）。
【００３０】
三相交流が遮断されていなければ、圧縮機４４は、三相交流によって駆動される。また、処理部８２は、蓄電池９０を充電するように、チャージユニット７６に指示する（ステップＳ１１２）。次に、処理部８２は、蓄電池９０の蓄電量が所定値を超えるか否かを判定する（ステップＳ１１４）。蓄電池９０の蓄電量は、例えば、蓄電池９０に付随する制御ＩＣ等が算出した値、チャージユニット７６が出力した電流の積算値などによって把握される。蓄電池９０の蓄電量が所定値を超える場合、処理部８２は、蓄電池９０への充電を停止するようにチャージユニット７６に指示する（ステップＳ１１６）。蓄電池９０の蓄電量が所定値を超えない場合、蓄電池９０の充電が継続される。
【００３１】
次に、処理部８２が、各種センサ１０４や、自装置が備える各回路、各機器等が検出した検出結果を取得する（ステップＳ１１８）。次に、処理部８２は、取得した検出結果に基づいて、可搬式保冷庫１に異常があるか否かを判定する（ステップＳ１２０）。なお、各回路等には、例えば第１保護回路７２や、整流回路７４、チャージユニット７６、第２保護回路７８、および圧縮機４４、蓄電池９０が含まれてよい。また各機器等には、冷凍サイクル部品や、冷却器、圧縮機４４、凝縮器４６等が含まれてよい。
【００３２】
異常があると判定した場合、処理部８２は、異常と判定した機器や、回路への電力の供給を制御または停止し、判定結果を表示部１４へ表示させる（ステップＳ１２２）。例えば処理部８２が、第１保護回路７２または第２保護回路７８に異常があると判定した場合、処理部８２が、電流の受付または供給を停止するように対象回路に指示を行う。
【００３３】
次に、処理部８２は、蓄冷材２４の温度を検出する温度センサ（不図示）から蓄冷材２４の温度を取得し、取得した蓄冷材２４の温度が所定値未満であるか否かを判定する（ステップＳ１２４）。所定値未満でない場合、ステップＳ１００へ戻る。所定値未満である場合、処理部８２は、圧縮機４４への三相交流の供給を停止するように指示する信号を、交流調整回路８８に出力する（ステップＳ１２６）。
【００３４】
次に、処理部８２は、庫内ファン３６が駆動しているか否かを判定する（ステップＳ１２８）。庫内ファン３６が駆動している場合、ステップＳ１００へ戻り、庫内ファン３６が駆動していない場合、処理部８２は庫内ファン３６を駆動させる（ステップＳ１３０）。これにより、三相交流が投入されたと判定した場合における制御部８０が実行する処理は終了する。
【００３５】
なお、操作部１２が庫内ファン３６の駆動を利用者より受け付けた場合には、ステップＳ１３０の判定前であっても庫内ファン３６を駆動させる。また、処理部８２は、蓄冷材２４の温度が所定値未満であるか否かの判定（ステップＳ１２４）を、圧縮機４４が駆動される前に実行し、蓄冷材２４の温度が所定値未満の場合に圧縮機４４を駆動させてもよい。また、処理部８２は、蓄冷材２４の温度が所望温度まで低下し、且つ蓄電池９０に所定値を超える電力が蓄電された場合、三相交流の受付を停止してもよい。この場合、処理部８２は、蓄電池９０から各部に電力を供給するように、電源切替回路（不図示）を制御する。電源切替回路は、外部電源Ｇから供給された三相交流を自装置の運転に利用するか、または蓄電池９０に蓄電された電力を自装置に利用するかを切替える回路である。また、上述したステップＳ１１８〜ステップＳ１２２までの処理（図中、「異常判定ルーチン」）は、本フローチャートの処理とは独立したルーチンとして実行されてもよい。
【００３６】
次に、三相交流が投入されていないと判定した場合（ステップＳ１００）における処理部８２が実行する処理について説明する。まず、処理部８２は、蓄電池９０から蓄電池９０の状態を取得する（ステップＳ１５０）。次に、処理部８２は、取得した蓄電池９０の状態に基づいて、蓄電池９０が所定の条件を満たしているか否かを判定する（ステップＳ１５２）。所定の条件とは、蓄電池９０が、可搬式保冷庫１を正常に運転させることができる電力を安定的に供給できる状態であるかを判定するための条件である。所定の条件とは、例えば蓄電池９０が蓄電した蓄電量が所定値を超えること、蓄電池９０が出力することができる電圧または電流が所定値以上であること、蓄電池９０の外部または内部の温度が所定温度以下であること、などの一部または全部を含む。所定の条件を満たさない場合、処理部８２が、可搬式保冷庫１の運転を停止し、蓄電池９０の異常を示す表示を異常点灯部１８に表示させる（ステップＳ１５４）。
【００３７】
次に、処理部８２は、初期設定モードを取得する（ステップＳ１５６）。次に、処理部８２は、取得した初期設定モードで可搬式保冷庫１を運転する（ステップＳ１５８）。なお、蓄電池９０から供給された電力を利用して可搬式保冷庫１を制御する場合、可搬式保冷庫１は、庫内ファン３６を駆動させて保冷室３０を保冷する保冷運転のみが可能であり、蓄冷材２４を所定温度未満に冷却する冷却運転は受け付けない。次に、処理部８２は、「異常判定ルーチン」を実行する（ステップＳ１６０）。これにより、本フローチャートの処理は終了する。なお、上述したステップＳ１５０〜Ｓ１５４の処理は、三相交流が投入された場合における処理（ステップＳ１０２〜ステップＳ１３０）の中で実行してもよい。
【００３８】
以上説明した第１の実施形態によれば、可搬式保冷庫１は、三相交流を直流に整流する整流回路７４が三相交流に接続され、整流回路７４により整流された直流を用いてチャージユニット７６が蓄電池９０を充電するため、三相交流の供給側または可搬式保冷庫１側の電圧や電流が相間で不均衡となることを抑制することができる。この結果、可搬式保冷庫１は、可搬式保冷庫１の圧縮機４４や、外部電源Ｇを構成するインバータ等に誤作動や不具合を生じさせたりする可能性を低減することができる。また、可搬式保冷庫１は、自装置に備えられた各種センサ１０４や、機器、蓄電池９０などの異常を検出し、検出結果に応じて、自装置を制御するため、自装置の故障や、誤動作を抑制することができる。
【００３９】
（第２の実施形態）
以下、第２の実施形態について説明する。ここでは、第１の実施形態との相違点を中心に説明し、第１の実施形態との共通する機能等についての説明は省略する。第１の実施形態では、処理部８２が可搬式保冷庫１に異常があると判定した場合、異常点灯部１８に異常を示す表示をさせるが、第２の実施形態では、異常点灯部１８へ異常を示す表示をすると共に、通信部１０６を介して、異常の判定結果を監視装置２１０へ送信する。
【００４０】
図７は、可搬式保冷庫システム２００の構成図である。可搬式保冷庫システム２００は、可搬式保冷庫１と監視装置２１０とを備える。可搬式保冷庫１と監視装置２１０とは、無線通信を行う。無線通信は、例えば携帯電話網やＷｉ−Ｆｉ（登録商標）網等を利用してもよい。可搬式保冷庫１は、例えば可搬式保冷庫１の通信部１０６を介して、異常の判定結果や、可搬式保冷庫１の運転状態、可搬式保冷庫１が備える各種センサ１０４の検出結果など、自装置の状態を示す各種情報を監視装置２１０へ送信する。
【００４１】
監視装置２１０は、例えば処理部と、表示部と、通信部とを備える。監視装置２１０処理部は、監視装置２１０の通信部が可搬式保冷庫１から取得した各種情報を取得し、取得した情報を表示部に表示させる。また、監視装置２１０処理部は、取得した情報が予め設定された条件を満たしていない場合には、警報などの異常を示す情報を監視装置２１０の表示部などに表示する。例えば監視装置２１０処理部は、可搬式保冷庫１の保冷室３０内の温度が予め設定された温度以上の場合、警報を出力する。また、例えば監視装置２１０処理部は、可搬式保冷庫１の蓄電池９０の蓄電量が所定値以下の場合、警報を出力する。
【００４２】
以上説明した第２の実施形態によれば、監視装置２１０が、可搬式保冷庫１の異常や、可搬式保冷庫１の運転状態を取得し、取得した情報が予め設定された条件を満たしていない場合には、表示部などに異常を示す情報を表示する。この結果、遠隔に位置する複数の可搬式保冷庫１の状態の監視や、異常を検出することができる。
【００４３】
以上説明した少なくともひとつの実施形態によれば、三相交流を受け付ける受付部（７０）と、前記受付部が受け付けた三相交流を直流に整流する整流部（７４）と、蓄電池（９０）と、前記整流部により整流された直流を用いて前記蓄電池を充電する充電部（７６）とを持つことにより、三相交流の供給側または可搬式保冷庫１側の電圧や電流が相間で不均衡となることを抑制することができる。
【００４４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
Ｇ…外部電源、１…可搬式保冷庫、２…筐体、１０…コネクタ、１２…操作部、２４…蓄冷材、３６…庫内ファン、４４…圧縮機、４６…凝縮器、４８…冷却部、６０…制御ユニット、７０…電源部、７２…第１保護回路、７４…整流回路、７６…チャージユニット、７８…第２保護回路、８０…制御部、８２…処理部、８４…欠相判定部、８６…逆相判定部、８８…交流調整回路、８９…供給遮断回路、９０…蓄電池、１０２…スピーカ、１０４…各種センサ、１０６…通信部、２００…可搬式保冷庫システム、２１０…監視装置
【図１】
2016080195.tif 000003
【図２】
2016080195.tif 000004
【図３】
2016080195.tif 000005
【図４】
2016080195.tif 000006
【図５】
2016080195.tif 000007
【図６】
2016080195.tif 000008
【図７】
2016080195.tif 000009